(57)【要約】      （修正有）【課題】診断結果データの監視センターでの収集を早く正確に効率よく行うことを可能にする。【解決手段】監視センター１０から診断指令を受信したエレベータ制御装置が、昇降路内に設置されたエレベータのかごを走行させて当該エレベータを構成する用品に対して遠隔診断運転を実施する遠隔診断運転方法であって、診断対象となる前記用品を所定の診断ブロック単位に分け、各診断ブロックは１乃至複数の診断項目で構成し、前記診断ブロック単位で診断運転を実施し、診断ブロックを構成する一つの診断項目の診断が終了する都度、診断結果を記憶部に記憶し、一つの診断ブロックの診断が終了すると、前記記憶部に記憶されている診断結果を編集し、診断結果データとして前記監視センター１０へ送信する。【選択図】図３
2018203448.tif 000002
【特許請求の範囲】
【請求項１】
監視センター、又はエレベータ側に設けられた遠隔監視装置に予め設定された日時に出力される診断指令を受信したエレベータ制御装置が、昇降路内に設置されたエレベータのかごを走行させて当該エレベータを構成する用品に対して遠隔診断運転を実施するエレベータの遠隔診断運転方法であって、
診断対象となる前記用品を所定の診断ブロック単位に分け、各診断ブロックは１乃至複数の診断項目で構成し、
前記診断ブロック単位で診断運転を実施し、診断ブロックを構成する一つの診断項目の診断が終了する都度、診断結果を記憶部に記憶し、
一つの診断ブロックの診断が終了すると、前記記憶部に記憶されている診断結果を編集し、診断結果データとして前記監視センターへ送信する
ことを特徴とするエレベータの遠隔診断運転方法。
【請求項２】
前記診断ブロックを構成する診断項目の内、診断が不調であった診断項目が存在する場合には、当該診断項目については、診断不調であった旨、又は当該診断項目を含めない診断結果データを前記監視センターへ送信する
ことを特徴とする請求項１に記載のエレベータの遠隔診断運転方法。
【請求項３】
前記診断が不調である場合には、診断対象となる用品の不具合に起因する場合と、診断運転中におけるエレベータ利用者によるかご呼びに起因する場合とを含む
ことを特徴とする請求項２に記載のエレベータの遠隔診断運転方法。
【請求項４】
前記診断ブロックを構成する診断項目が所定数よりも多い場合には、一つの診断ブロックを複数に分割し、分割ブロック毎に診断結果を編集し、当該分割ブロック毎に診断結果データを前記監視センターへ送信する
ことを特徴とする請求項１乃至３の何れか1項に記載のエレベータの遠隔診断運転方法。
【請求項５】
前記診断結果の編集中又は診断結果データの送信中にも次の診断ブロックの診断運転を継続して実施する
ことを特徴とする請求項１乃至４の何れか1項に記載のエレベータの遠隔診断運転方法。
【請求項６】
前記診断ブロックは、昇降路内に設置されたリミットスイッチが正常にオンオフ動作するかを診断するリミットスイッチ診断、巻上機に設置されたブレーキが正常に動作するかを診断するブレーキ診断、又は各階に設置されたドアが正常に開閉動作するかを診断するドア開閉診断を含む
ことを特徴とする請求項1乃至５の何れか１項に記載のエレベータの遠隔診断運転方法。
【請求項７】
請求項１乃至６の何れか１項に記載のエレベータの遠隔診断運転方法を実行することを特徴とするエレベータ制御装置。
【請求項８】
請求項１乃至６の何れか１項に記載のエレベータの遠隔診断運転方法をエレベータ制御装置に実行させることを特徴とするエレベータの遠隔診断運転プログラム。
【発明の詳細な説明】
【技術分野】
【０００１】
本発明の実施形態は、エレベータの遠隔診断運転方法、エレベータ制御装置及びエレベータの遠隔診断運転プログラムに関する。
【背景技術】
【０００２】
従来のエレベータの遠隔診断は、遠隔保守端末（遠隔監視装置）が設置されている物件に対して、通信ネットワークを介して監視センターから遠隔自動診断運転信号を送信し、エレベータ制御装置内に備えられた診断プログラムを起動させてエレベータの自動診断運転を実施している。診断運転が終了すると、診断結果データを監視センターへ送信する。
【０００３】
従来、エレベーター遠隔診断運転を実施し監視センターへ診断結果データを送信する場合、全ての遠隔診断運転が完了した後に全ての診断結果データを送信していた。
【先行技術文献】
【特許文献】
【０００４】
【特許文献２】特開平６−４８６６５号公報
【特許文献１】特開平５−２７０７６０号公報
【発明の概要】
【発明が解決しようとする課題】
【０００５】
しかし、全ての遠隔診断運転が完了した後に全ての診断結果データを一括送信する従来の送信方法では以下のような問題がある。すなわち、診断項目の一部が何らかの原因で完了できず、該当する診断項目のリトライ設定時間、リトライ設定回数などを超えてしまい、結果として遠隔診断運転が失敗する場合がある。また、診断運転中にエレベーター利用者のオペレーションにより遠隔診断が頻繁に中断して、結果として失敗する場合もある。このように遠隔診断運転を中止した場合には全体の診断データを送信することができず、そのため遠隔診断結果が全く取得できないことがある。また、一括送信するので、１回に送信するデータ容量が大きすぎると通信途中で通信不具合により送信できない場合もある。さらに、通信途中で通信不具合が起こった場合に複数回通信が発生し、通信コストもかかってしまう。
【０００６】
上記事情に鑑み、本発明の実施形態は、上述した不具合の発生を抑制して遠隔診断運転の診断結果を確実に取得可能とし、診断結果データの監視センターでの収集を早く正確に効率よく行うことができるエレベータの遠隔診断運転方法、エレベータ制御装置及びエレベータの遠隔診断運転プログラムを提供することを目的としている。
【課題を解決するための手段】
【０００７】
上記目的を達成するための態様は、監視センター、又はエレベータ側に設けられた遠隔監視装置に予め設定された日時に出力される診断指令を受信したエレベータ制御装置が、昇降路内に設置されたエレベータのかごを走行させて当該エレベータを構成する用品に対して遠隔診断運転を実施するエレベータの遠隔診断運転方法であって、診断対象となる前記用品を所定の診断ブロック単位に分け、各診断ブロックは１乃至複数の診断項目で構成し、前記診断ブロック単位で診断運転を実施し、診断ブロックを構成する一つの診断項目の診断が終了する都度、診断結果を記憶部に記憶し、一つの診断ブロックの診断が終了すると、前記記憶部に記憶されている診断結果を編集し、診断結果データとして前記監視センターへ送信することを特徴とするエレベータの遠隔診断運転方法である。
【０００８】
また、上述した遠隔診断運転方法を実行するエレベータ制御装置である。
【０００９】
さらに、上述した遠隔診断運転方法をエレベータ制御装置に実行させるためのエレベータの遠隔診断運転プログラムである。
【図面の簡単な説明】
【００１０】
【図１】実施形態に係るエレベータの全体構成を示す説明図。
【図２】遠隔診断システムを構成する各装置の機能を示すブロック図。
【図３】実施形態に係るエレベータの診断運転方法を示す説明図。
【図４】実施形態に係るエレベータの診断運転方法の手順を示すフローチャート。
【図５】具体的な実施例における運転手順とその診断内容を示す説明図。
【発明を実施するための形態】
【００１１】
以下、本発明の実施形態を図面を参照して説明する。最初に、図１を参照して実施形態における診断運転方法が適用されるエレベータについて説明する。
【００１２】
図１に示すように、遠隔診断を実施する遠隔診断システム１は、監視センター１０と、遠隔監視装置２０と、エレベータ制御装置３０と、かご制御装置４０とを備える。本実施形態におけるエレベータの診断運転方法は、エレベータ制御装置３０の制御下で実施される。また、本実施形態におけるエレベータの診断運転プログラムは、エレベータ制御装置３０にインストールされることにより実施される。
【００１３】
診断対象となるエレベータ２は、昇降路３と、昇降路３内を上下に走行するかご４と、かご４とは主ロープ５を介して連結されたつり合いおもり６とを備える。エレベータ２の機械室７には、主ロープ５を回転駆動する巻上機８と、そらせシーブ９が設置されている。巻上機８には診断対象となるブレーキＢｒが設置されている。
【００１４】
また、昇降路３において、一方の終端階である最下階ＢＦ付近には、最下階リミットスイッチ３ＬＳが設置され、他方の終端階である最上階ＴＦ付近には最上階リミットスイッチ４ＬＳが設置されている。最下階リミットスイッチ３ＬＳは、かご４が最下階ＢＦを行き過ぎたときに作動してかご４を減速させるためのスイッチである。最上階リミットスイッチ４ＬＳは、かご４が最上階ＴＦを行き過ぎたときに作動してかご４を減速させるためのスイッチである。
【００１５】
さらに、昇降路３には、６個の昇降路内リミットスイッチ５ＬＳ，６ＬＳ，・・・，１０ＬＳが設置されている。昇降路内リミットスイッチ５ＬＳ，６ＬＳ，・・・，１０ＬＳは、かご４の位置を検出するためのスイッチである。なお、昇降路内リミットスイッチの設置数は、本実施形態では６個であるが、これに限定されるものではなく、昇降路３の長さ、階床数に応じて増減される。
【００１６】
遠隔診断システム１を構成する監視センター１０は、エレベータの遠隔診断を実施する遠隔診断スケジュールデータを遠隔監視装置２０へ送信する。遠隔監視装置２０は、監視センター１０から受信した遠隔診断スケジュールデータに従い、予め設定されている診断運転開始時刻になると、エレベータ制御装置３０へ診断指令を出力する。エレベータ制御装置３０は、診断指令を受けると、エレベータ２の診断運転制御を行う。かご制御装置４０は、かご４に設置されており、特に本実施形態では、各リミットスイッチ３ＬＳ〜１０ＬＳの作動検出及びかご４のドア開閉診断の制御に供される。
【００１７】
次に、図２を参照して遠隔診断システム１を構成する各装置の機能について説明する。
【００１８】
監視センター１０は、遠隔診断を実施するスケジュールを登録するスケジュール登録部１１と、公衆回線やその他無線または有線にて通信が可能な通信部１２とを備えている。そして、遠隔監視装置２０へエレベータが遠隔診断運転を実施するスケジュールデータ、例えば毎月遠隔診断を実施する場合は毎月の開始指定日および開始時間データを送信する。
【００１９】
遠隔監視装置２０は、監視センター１０及びエレベータ制御装置３０と通信を行う通信部２１と、遠隔診断スケジュールデータを保存するスケジュール記憶部２２とを備えている。遠隔監視装置２０は、スケジュール記憶部２２に記憶されている遠隔診断スケジュールデータに従い、スケジュール日時（診断運転開始時刻）になると、通信部２１を介してエレベータ制御装置３０へ診断指令を送信する。
【００２０】
エレベータ制御装置３０は、通信制御部３１と、運行制御部３２と、かご位置判断部３３と、診断進捗管理部３４と、プログラム実施部３５と、診断結果格納部３６と、データ編集部３７とを備えている。
【００２１】
通信制御部３１は、遠隔監視装置２０の通信部２１と接続されており、遠隔監視装置２０から診断指令を受信する一方、診断結果を遠隔監視装置２０を介して監視センター１０に送信する。また、通信制御部３１は、かご制御装置４０と接続されており、かご制御装置４０の検出結果を受信する。
【００２２】
運行制御部３２は、例えば利用者がエレベータホールにてアップ釦を押下した場合にかごがアップ運転を行う等のエレベータの基本動作の制御を実行するとともに、遠隔診断運転に使用される遠隔診断プログラムが格納されている。
【００２３】
かご位置判断部３３は、遠隔診断動作開始時に現在のかご位置を判断し、最上階ＴＦまたは最下階ＢＦどちらの方向へ走行した方が効率的に診断運転が実施可能かを判定する。
【００２４】
診断進捗管理部３４は、エレベータ遠隔診断が中断された場合や診断対象となる診断ブロック（遠隔診断項目）がどこまで実施されているのかを記憶する。
【００２５】
エレベータ制御装置３０が遠隔監視装置２０から遠隔診断開始情報を受信した際、運行制御部３２に備えられた遠隔診断プログラムにて実施する診断運転は、例えば、以下の３つの診断ブロックで構成される。ここで、診断ブロックとは、遠隔診断を実施する際の一つのまとまったグループを指す。
【００２６】
例えば、第１の診断ブロックは、エレベータ２のかご４を通常走行の速度で走行させ、かご制御装置４０の検出部４２にて、エレベータ２が走行時に安全に走行するために必要なスイッチ、例えば終端階付近に設置されかご４の速度を検出するリミットスイッチをオン、オフすることで、かご４が走行時にスイッチの位置がずれていないことの確認を行う終端階リミットスイッチ診断、及び昇降路２の所定箇所に設置された昇降路内リミットスイッチ５ＬＳ〜１０ＬＳの動作確認を行う昇降路内リミットスイッチ診断から構成される診断ブロックである。
【００２７】
第２の診断ブロックは、かご４が昇降路３内の最上階ＴＦの位置で巻上機８に備えられたブレーキＢｒを解放することなく、かご４が停止状態で巻上機８へトルクを印加し、ブレーキの保持力が正常であることの確認診断を行う「ブレーキ診断」から構成されるブロックである。
【００２８】
第３の診断ブロックは、かご４を各階床へ走行させ停止時に、かご制御装置４０のドア制御部４１によりドアを開閉させ開閉状態の確認を行う「ドア開閉診断」から構成されるブロックである。「ドア開閉診断」では、ドアの開閉時間、開閉速度、トルク等のデータが正常であることの確認を行う。
【００２９】
プログラム実施部３５は、遠隔診断プログラムを後述する何れの診断ブロックから実施するかを判断する。
【００３０】
診断結果格納部３６は、ブロック単位で各診断項目の診断結果を格納するエリアを備え、一つの診断項目が終了すると、診断結果を格納する。
【００３１】
データ編集部３７は、一つの診断ブロックの診断が終了すると、診断結果格納部３６に格納されている診断結果を読み出してブロック単位の診断結果データを編集する。
【００３２】
かご制御装置４０は、ドア制御部４１と、検出部４２とを備えている。ドア制御部４１は、かごドアの制御及び各階の乗場ドアの制御を実行する。検出部４２は、昇降路内の走行中に、最下階リミットスイッチ３ＬＳ、最上階リミットスイッチ４ＬＳ及び各昇降路内リミットスイッチ５ＬＳ，６ＬＳ，・・・，１０ＬＳのオン・オフをチェックして各リミットスイッチが正常に動作するかを検出する。そして、ドア制御部４１によるかごドア点検の検出結果及び検出部４２によるリミットスイッチの診断結果は、エレベータ制御装置３０とかご制御装置４０間での通信にてエレベータ制御装置３０へ伝達され、エレベータ制御装置３０に備えられた診断結果格納部３６に格納される。遠隔診断運転の結果は、診断結果データとして、通信制御部３１から遠隔監視装置２０の通信部２１、監視センター１０の通信部１２を経由して監視センター１０へ送信される。
【００３３】
＜診断運転方法＞
以下では、本実施形態における遠隔診断運転の手順について説明する。
【００３４】
図３（Ａ）に示すように、本実施形態の遠隔診断実施内容は、第１診断ブロック、第２診断ブロック、・・・、第Ｎ診断ブロックから構成されている。なお、以下の説明、及び図面では、「診断ブロック」を単に「ブロック」と記載する場合がある。
【００３５】
各ブロックはｎ個の診断項目（診断項目１、診断項目２、・・・、診断項目ｎから構成されている。また、図３（Ｂ）に示すように、診断結果格納部３６には、各ブロックにおける診断項目が終了した時点でその結果が格納される。そして、図３（Ｃ）に示すように、一つのブロックに対する診断が終了した時点で、データ編集部３７によって診断結果データが編集され、監視センター１０に送信される。
【００３６】
図４は、診断処理の手順を示すフローチャートである。
【００３７】
監視センター１０のスケジュール登録部１１に登録された遠隔診断運転スケジュールに従い、遠隔監視装置２０からの遠隔診断運転指令がエレベータ制御装置３０に送信されると、運行制御部３２にて診断条件が成立しているか否かが判定される（ＳＴ１）。ここで、「診断条件が成立している状態」とは、遠隔診断運転が「実施可能な状態」を指している。例えば、エレベータ２の全てのかご呼びが無い状態であり、かつ、診断指令が出力されてから１０秒経過している状態をいう。「実施可能な状態」では、かご照明が消灯し、戸開ボタン灯及び停電灯が点灯する（自動診断運転開始条件）。自動診断運転開始条件が成立すると、診断実施可能と判断する（ＳＴ１YES）。
【００３８】
次いで、診断ブロックＮ＝１、診断項目ｎ＝１をセット（ＳＴ２）して、第１ブロックの診断項目１についての診断を開始する（ＳＴ３）。診断項目１の診断が所定時間内に終了した場合には、診断結果が診断結果格納部３６に格納される（ＳＴ４YES，ＳＴ７）。
【００３９】
診断項目１が所定時間内に終了しない場合、すなわち、複数回のトライ時間が終了（リトライ時間オーバー）すると（ＳＴ５YES）、その診断結果が診断結果格納部３６に格納される。この場合には、診断不調という結果が記憶される。又は、その診断項目の診断結果の格納欄は空欄とし、何も格納されない。
【００４０】
診断項目１について、リトライ回数がオーバーした場合（ＳＴ６YES）も同様、診断不調という診断結果が診断結果格納部３６に格納される（ＳＴ７）。又は、その診断項目は空欄とし、何も格納されない。
【００４１】
診断項目１の診断が終了すると、次の診断項目２の診断が実施される（ＳＴ９）。
【００４２】
第１ブロックの全ての診断項目ｎの診断が終了すると、データ編集部３７は、診断結果格納部３６に格納されている各診断項目の診断結果を読み出して編集（ＳＴ１０）し、第１ブロックの診断結果データとして遠隔診断装置２０を経由して監視センター１０へ送信する（ＳＴ１１）。なお、第１ブロックの診断が終了して、診断結果を読み出して編集している間、及び診断結果データを監視センター１０へ送信している間にも並行して次の第２ブロックの診断を実施する。
【００４３】
診断ブロックが有る場合（ＳＴ１２YES）には、次の診断ブロックの診断を開始するために、Ｎ＝Ｎ＋１とし、第２診断ブロックの診断項目１の診断が開始される（ＳＴ１３）。
診断ブロックの診断が全て終了する（ＳＴ１２NO）と、診断処理は終了する。
【００４４】
本実施形態によれば、遠隔診断運転は複数のブロックで構成され、１つのブロックは複数の診断項目により構成されている。このブロック単位ごとに送信ポイントを設け、1つのブロックの診断項目についての診断が全て完了した時点で、診断結果を監視センター１０へ送信するようにしている。
【００４５】
このように、遠隔診断の診断結果をブロックごとに監視センター１０へ送信することができる。すなわち、何らかの原因で遠隔診断運転の途中の診断項目で診断ができず該当診断項目が診断失敗となり、その結果遠隔診断運転が中止となってしまった場合や、エレベーター利用者のオペレーションにより遠隔診断が頻繁に中断した場合などにより遠隔診断運転を中止した場合でも、中断するまでのデータは送信されることになる。これにより、再度遠隔診断運転を行う場合でも診断ができなかった部分から診断を再開すればよく、効率のよい遠隔診断運転を提供できる。また、診断結果については何らかの状況で診断がタイムアウトした場合やリトライ回数オーバーで失敗し診断結果が取得できないような状況も含まれる。
【００４６】
また、ブロック単位の診断結果を送信する際に、何らかの理由で診断結果が得られなかった診断項目については、診断不調とするか、又は送信内容に含めずに送信することで、さらに効率よく診断結果を監視センター１０へ送信することが可能となる。
【００４７】
＜実施例＞
次に、本発明を更に具体的な実施例として、図５を参照して説明する。
【００４８】
先の説明では、例えば、診断ブロックとして「昇降路内リミットスイッチ診断」、「ブレーキ診断」、「ドア開閉診断」の３つの診断ブロックを想定した。この実施例では、エレベータ２の診断運転を、かごが上昇運転する際に昇降路リミットスイッチ（最下階リミットスイッチを含む）の診断を行う第1ブロックと、ブレーキ診断を行う第２ブロックと、かごが下降運転する際に昇降路リミットスイッチ（最上階リミットスイッチを含む）の診断を行う第３ブロックと、各階の乗場ドアを診断する第４ブロックに４分割して構成されているものとする。
【００４９】
各ブロックは、それぞれのブロックに合わせた診断をおこなう診断項目で構成される。たとえば第1ブロックは「最下階リミットスイッチの動作及び位置確認」「各階リミットスイッチの動作及び位置確認」といった診断項目で構成される。
【００５０】
遠隔監視装置２０から診断指令が出力されると、遠隔診断運転が開始される（ＳＴ２１）。先ず、かご４を最下階ＢＦに引き戻し（ＳＴ２２）、第１ブロックの診断項目１の診断を開始する。この診断内容としては、かご４が最下階ＢＦに停止後、荷重がチェックされる。これは、かご４内に利用者が存在するか否かのチェックである（Ｄ１）。かご４内が無人であることが確認されると、第１ブロックである昇降路リミットスイッチの診断が実施される。診断項目１として、最下階リミットスイッチ３ＬＳの動作及び位置確認が実行される（ＳＴ２３）。最下階リミットスイッチ３ＬＳは、かご４が所定位置よりも下に移動しないように、強制的に減速させるためのリミットスイッチであり、正確にオンオフ動作するか否か、位置確認は正確かを診断する（Ｄ２）。この診断項目１が終了すると、診断結果が診断結果格納部３６に格納される。
【００５１】
次いで、第１ブロックの診断項目２として、最上階ＴＦへ上昇運転しつつ、各階に設置されたリミットスイッチの確認が実施される（ＳＴ２４）。この診断では、各階の昇降路リミットスイッチが正確にオンオフ動作するか否か、位置確認は正確かを診断する（Ｄ３）。この場合、各階の昇降路リミットスイッチの診断が一つの診断項目を構成するので、一つのリミットスイッチの診断が終了する都度、その診断結果が診断結果格納部３６に格納される。
【００５２】
次いで、かご４が最上階ＴＦに到着すると、最上階リミットスイッチ４ＬＳの動作及び位置確認が実施される（ＳＴ２５）。この診断では、最上階リミットスイッチ４ＬＳは、かご４が所定位置よりも上に移動しないように、強制的に減速させるためのリミットスイッチであり、正確にオンオフ動作するか否か、位置確認は正確かを診断する（Ｄ４）。以上の最下階ＢＦから最上階ＴＦに至る上昇時の昇降路リミットスイッチの診断が第１診断ブロックとなる。各昇降路リミットスイッチの診断の都度、診断結果が診断結果格納部３６に格納される。
【００５３】
そして、第１ブロックの診断が終了すると、データ編集部３７により診断結果データが作成されて監視センター１０へ送信される。
【００５４】
また、診断結果格納部３６から診断結果が読み出されて診断結果データが作成されて監視センター１０へ送信される間にも、次の第２ブロックの診断が並行して行われる。このようにして、遠隔診断運転を構成する全てのブロックの診断項目を完了させる。
【００５５】
ステップＳＴ２６では、第２ブロックの診断であるブレーキ診断が実施される。ブレーキ診断では、巻上機８に設置されたブレーキＢｒを解放することなく、かご４が停止状態で巻上機８へトルクを印加し、ブレーキの保持力が正常であることの確認処理が実施される（Ｄ５）。
【００５６】
そして、第２ブロックの診断が終了すると、データ編集部３７により診断結果データが作成されて監視センター１０へ送信される。なお、第２ブロックの診断項目は、ブレーキ診断であり、診断項目としては１つのみである。診断結果格納部３６から診断結果が読み出されて診断結果データが作成されて監視センター１０へ送信される間にも、次の第３ブロックの診断が並行して行われる。
【００５７】
次のステップＳＴ２７では、第３診断ブロックである昇降路リミットスイッチ（下降時）の動作確認処理が実施される。この処理では、かご４を最下階ＢＦへ走行させつつ各階のリミットスイッチが正常に動作するか否かの診断及び位置確認が実施される（Ｄ６）。第１診断ブロックと同様、各階の昇降路リミットスイッチの診断が一つの診断項目を構成するので、一つのリミットスイッチの診断が終了する都度、その診断結果が診断結果格納部３６に格納される。
【００５８】
第３ブロックの診断が終了すると、データ編集部３７により診断結果データが作成されて監視センター１０へ送信される。診断結果格納部３６から診断結果が読み出されて診断結果データが作成されて監視センター１０へ送信される間にも、次の第４ブロックの診断が並行して行われる。
【００５９】
ステップＳＴ２８では、最後の診断ブロックである第４ブロックの診断が実施される。この診断では、かご４を各階に停止させ、各階ドアが正常に開閉動作するか否かを確認する。すなわち、各階ドア診断では、戸開閉状態の確認、ドアトルク確認、各ドアスイッチ動作位置確認処理が実施される（Ｄ７）。その診断結果は、診断結果格納部３６に格納される。
【００６０】
そして、第４ブロックの診断が終了すると、データ編集部３７により診断結果データが作成されて監視センター１０へ送信される。全階床のドア確認が終了すると、全ての診断運転は終了し、正常運転に復帰する（ＳＴ２９）。
【００６１】
なお、診断項目の診断中に利用者がエレベーターを利用しようとして、エレベーターホールの呼びボタンを押した場合は、遠隔診断運転を中断してその呼びに応答した後、中断した診断項目から遠隔診断運転を再開する。しかし、呼びボタンを押される回数が多い場合には、遠隔診断運転を中止することとなる。この場合は、それまでに完了していたブロックの診断データは送信されているため、遠隔診断運転のリトライを行う場合は中止したブロックから行えばよく、効率的な診断が可能である。
【００６２】
また、本実施例では、診断ブロックを第１〜第４ブロックの４つで構成したが、これに限られるものではない。例えば、かごの上昇運転中に、定格速度診断を実施するようにしてもよい。
【００６３】
＜診断結果の分割編集＞
上述した実施例おいて、第１ブロックや第３ブロックにおいては昇降路リミットスイッチの診断を実施する。昇降路リミットスイッチの設置数が多い場合には、一つのブロックの診断が終了してから診断結果データを監視センター１０に送信すると送信容量が多くなり、送信時間が長くなってしまう。
【００６４】
この場合には、データ編集部３７は一つのブロックを複数のブロックに分割し、分割されたブロック単位で診断結果データを監視センター１０へ送信するようにする。これにより、送信時間の短縮が達成でき、確実な送信が可能になる。また、リトライ回数も少なくすることができ、送信コストを低減することが可能になる。
【００６５】
なお、上記実施例では、第１、第２、第４ブロックを複数の診断項目で構成し診断結果を送信するが、第３ブロックのブレーキ診断のように、１ブロックを１診断項目で構成し、診断項目単位に監視センター１０へ診断結果データを送信するようにしてもよい。
【００６６】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６７】
１…遠隔診断システム、２…エレベータ、３…昇降路、４…かご、５…主ロープ、６…つり合いおもり、７…機械室、８…巻上機、９…そらせシーブ、１０…監視センター、１１…スケジュール登録部、１２…通信部、２０…遠隔監視装置、２１…通信部、２２…スケジュール記憶部、３０…エレベータ制御装置、３１…通信制御部、３２…運行制御部、３３…かご位置判断部、３４…診断進捗管理部、３５…プログラム実施部、３６…診断結果格納部、３７…データ編集部、４０…かご制御装置、４１…ドア制御部、４２…検出部、３ＬＳ…最下階リミットスイッチ、４ＬＳ…最上階リミットスイッチ、５ＬＳ，７ＬＳ，１０ＬＳ…昇降路内リミットスイッチ、ＢＦ…最下階、ＴＦ…最上階、Ｂｒ…ブレーキ。
【図１】
2018203448.tif 000003
【図２】
2018203448.tif 000004
【図３】
2018203448.tif 000005
【図４】
2018203448.tif 000006
【図５】
2018203448.tif 000007
【手続補正書】
【提出日】平成30年8月22日(2018.8.22)
【手続補正１】
【補正対象書類名】特許請求の範囲
【補正対象項目名】請求項１
【補正方法】変更
【補正の内容】
【請求項１】
監視センター、又はエレベータ側に設けられた遠隔監視装置に予め設定された日時に出力される診断指令を受信したエレベータ制御装置が、昇降路内に設置されたエレベータのかごを走行させて当該エレベータを構成する用品に対して遠隔診断運転を実施するエレベータの遠隔診断運転方法であって、
診断対象となる前記用品を、診断を実施する際の一つのまとまったグループである所定の診断ブロック単位に分け、かつ、各診断ブロックを複数の診断項目で構成し、
前記診断ブロック単位で診断運転を実施し、診断ブロックを構成する一つの診断項目の診断が終了する都度、診断結果を記憶部に記憶し、
一つの診断ブロックの診断が終了すると、前記記憶部に記憶されている診断結果を編集し、診断結果データとして前記監視センターへ送信する
ことを特徴とするエレベータの遠隔診断運転方法。